(57)【要約】【課題】使用温度の変化と関係なく、表示装置の駆動能力を一定水準保障することができる電源変換装置を提供する。【解決手段】入力される外部電圧に応答してゲート駆動パルスＰＧＤを出力する変換モジュール部３１０と、印加される初期基準電圧ＶＳＤ＿０を温度環境に基づいて制御して基準電圧ＶＳＤを生成する温度補償部３４０と、変換モジュール部３１０からのゲート駆動パルスＰＧＤと温度補償部３４０からの基準電圧ＶＳＤに応答して第１ゲート駆動信号Ｖｏｎを出力する第１ゲート駆動信号生成部３５０と、変換モジュール部３１０からのゲート駆動パルスＰＧＤと接地電圧ＧＮＤに応答して第２ゲート駆動信号Ｖｏｆｆを出力する第２ゲート駆動信号生成部３６０と、を含む。【選択図】図４
2007047790.tif 000002
【特許請求の範囲】
【請求項１】
入力される外部電圧に応答してゲート駆動パルスを出力する変換モジュール部と、
印加される初期基準電圧を温度環境に基づいて制御して基準電圧を生成する温度補償部と、
前記変換モジュール部からの前記ゲート駆動パルスと前記温度補償部からの前記基準電圧に応答して第１ゲート駆動信号を出力する第１ゲート駆動信号生成部と、
前記変換モジュール部からの前記ゲート駆動パルスと接地電圧に応答して第２ゲート駆動信号を出力する第２ゲート駆動信号生成部と、を含む電源変換装置。
【請求項２】
前記温度補償部は、
入力された定電圧を前記温度環境に基づいて制御して第１電圧を出力する第１電圧制御部と、
前記第１電圧に応答して前記初期基準電圧の電位レベルを制御して第２電圧を出力する第２電圧制御部と、を含むことを特徴とする請求項１記載の電源変換装置。
【請求項３】
前記温度補償部は、前記第２電圧の電位レベルを昇圧する昇圧回路部を更に含むことを特徴とする請求項２記載の電源変換装置。
【請求項４】
前記昇圧回路部は、演算増幅器を含むことを特徴とする請求項３記載の電源変換装置。
【請求項５】
前記第１電圧制御部は、温度環境によってターンオン電圧が変動する電気素子を含むことを特徴とする請求項２記載の電源変換装置。
【請求項６】
前記電気素子は、ダイオードであることを特徴とする請求項５記載の電源変換装置。
【請求項７】
前記電気素子は、直列に連結される複数のダイオードであることを特徴とする請求項５記載の電源変換装置。
【請求項８】
前記第２電圧制御部は、トランジスタを含むことを特徴とする請求項２記載の電源変換装置。
【請求項９】
前記トランジスタは、
前記第１電圧制御部と連結された第１電極と、
前記初期基準電圧が提供される第２電極と、
接地電源と連結された第３電極と、を含むことを特徴とする請求項８記載の電源変換装置。
【請求項１０】
前記ゲート駆動パルスに応答してアナログ駆動電圧を出力する駆動電圧生成部を更に含むことを特徴とする請求項１記載の電源変換装置。
【請求項１１】
前記初期基準電圧は、前記アナログ駆動電圧であることを特徴とする請求項１０記載の電源変換装置。
【請求項１２】
前記初期基準電圧は、前記アナログ駆動電圧よりも高い電位レベルで提供されて前記第１ゲート駆動信号の電位レベルを向上させることを特徴とする請求項１０記載の電源変換装置。
【請求項１３】
前記初期基準電圧は、外部装置から提供された外部電圧であることを特徴とする請求項１２記載の電源変換装置。
【請求項１４】
前記ゲート駆動パルスを利用して前記初期基準電圧を出力する変圧回路部を更に含むことを特徴とする請求項１２記載の電源変換装置。
【請求項１５】
データライン及びゲートラインに連結されたスイッチング素子が形成された表示領域と当該表示領域を取り囲む周辺領域とから構成された表示パネルと、
前記表示パネルの駆動を制御し、温度環境に基づいて異なる電位レベルのゲート駆動信号を生成するパネル駆動部と、
前記ゲート駆動信号を利用してゲート信号を前記ゲートラインに出力するゲート駆動部と、を含む表示装置。
【請求項１６】
前記ゲート駆動部は、前記表示パネルの周辺領域に形成されることを特徴とする請求項１５記載の表示装置。
【請求項１７】
前記ゲート駆動信号は、
前記スイッチング素子をターンオンさせる第１ゲート駆動信号と、
前記スイッチング素子をターンオフさせる第２ゲート駆動信号と、を含むことを特徴とする請求項１５記載の表示装置。
【請求項１８】
前記パネル駆動部は、常温よりも高い温度環境では前記第１ゲート駆動信号の電位レベルを減少させ、常温よりも低い温度環境では前記第１ゲート駆動信号の電位レベルを増加させることを特徴とする請求項１７記載の表示装置。
【請求項１９】
前記パネル駆動部は、
入力される外部電圧に応答してゲート駆動パルスを出力する変換モジュール部と、
印加される初期基準電圧を温度環境に基づいて制御して基準電圧を生成する温度補償部と、
前記ゲート駆動パルスと前記基準電圧に応答して第１ゲート駆動信号を出力する第１ゲート駆動信号生成部と、
前記ゲート駆動パルスと接地電圧に応答して第２ゲート駆動信号を出力する第２ゲート駆動信号生成部と、を具備した電源変換回路を含むことを特徴とする請求項１５記載の表示装置。
【請求項２０】
前記電源変換回路は、前記ゲート駆動パルスに応答してアナログ駆動電圧を出力する駆動電圧生成部を更に具備することを特徴とする請求項１９記載の表示装置。
【請求項２１】
前記パネル駆動部は、前記アナログ駆動電圧の提供を受けて複数の基準階調電圧を出力する階調電圧発生部を更に含むことを特徴とする請求項２０記載の表示装置。
【請求項２２】
前記パネル駆動部は、
前記基準階調電圧に応答して複数の階調電圧を生成し、当該階調電圧と入力されるデジタル形態のデータ信号とに応答してアナログ形態のデータ信号を前記データラインに出力するデータ駆動部を更に含むことを特徴とする請求項２１記載の表示装置。
【発明の詳細な説明】
【技術分野】
【０００１】
本発明は電源変換装置及びこれを具備した表示装置に関し、より詳細には使用温度の変化と関係なく、表示装置の駆動能力を一定水準保障できる電源変換装置及びこれを具備した表示装置に関する。
【背景技術】
【０００２】
一般に、表示装置は、情報処理装置で処理されたデータをユーザが認識できるように所定の画像を表示する装置と定義することができる。このような表示装置では、小型で軽量かつ高解像度を実現するために平板パネル型表示装置が広く使用されている。
【０００３】
現在、最も広く使用されている平板パネル型表示装置は液晶表示装置であり、液晶表示装置は、電界の強度によって光透過度が変更される液晶を利用して画像を表示する装置と定義することができる。
【０００４】
液晶表示装置は、表示パネルアセンブリ及びバックライトアセンブリを含む。表示パネルアセンブリは、スイッチング素子である薄膜トランジスタ（ＴＦＴ）が形成されたアレイ基板、アレイ基板に対向する対向基板、及びアレイ基板と対向基板との間に介在される液晶層を具備した液晶表示パネルを含む。
【０００５】
又、表示パネルアセンブリは、液晶表示パネルを駆動するための駆動信号を発生するデータ印刷回路基板、液晶表示パネルとデータ印刷回路基板を電気的に連結するためのデータテープキャリアパッケージ（ＴＣＰ）、及びアレイ基板のゲートラインと連結されたゲートＴＣＰを含む。
【０００６】
ここで、データＴＣＰは、アレイ基板のデータラインを駆動するためのデータ駆動チップを具備し、ゲートＴＣＰは、ゲートラインを駆動するためのゲート駆動チップを具備する。又、液晶表示パネル内に、即ち、アレイ基板上にゲート駆動チップを構成するシフトレジスタ、レベルシフタ、及びバッファ等を集積して、ゲートＴＣＰを省略した構造で表示パネルアセンブリを形成することもできる。
【０００７】
データ印刷回路基板は、液晶表示パネルを駆動するためのデータ駆動信号及びゲート駆動信号をデータＴＣＰに出力する。
【０００８】
バックライトアセンブリは、所定輝度の光を発生して液晶表示パネルに提供する。
【０００９】
このような構造を有する表示装置は、表示パネルアセンブリを駆動するためのパネル駆動部を含む。
【００１０】
パネル駆動部は、表示パネルアセンブリの駆動を全般的に制御するタイミング制御部、複数個の基準階調電圧を出力する階調電圧発生部、及び表示パネルアセンブリの駆動に必要な互いに異なる電位レベルを有する複数個の駆動電源を出力する電源供給部等を含む。
【００１１】
特に、電源供給部は、表示パネルアセンブリに含まれた素子が要求する直流電圧の要求値が互いに異なって、それぞれの素子の要求値に適合した電源を供給するための電源変換装置を含む。
【００１２】
しかし、液晶表示装置の場合、一般的にＴＦＴがａ−ＴＦＴで構成され、使用環境、即ち、温度環境によって駆動能力が変動される。一例として、液晶表示装置の場合、常温（２７℃）を基準として最適化された回路を設計して、常温から約６０℃までは駆動能力に影響を及ぼさないが、低温の環境、約−２０℃の温度環境下では駆動能力が顕著に低下するという問題点がある。
【発明の開示】
【発明が解決しようとする課題】
【００１３】
上記のような問題点を解決するための本発明の目的は、使用温度の変化と関係なく、一定水準の駆動能力を保障することができる電源変換装置を提供することにある。
【００１４】
本発明の他の目的は、電源変換装置を具備した表示装置を提供することにある。
【課題を解決するための手段】
【００１５】
上記目的を達成するために、本発明の電源変換装置は、変換モジュール部、温度補償部、第１ゲート駆動信号生成部、及び第２ゲート駆動信号生成部を含む。前記変換モジュール部は、入力される外部電圧に応答してゲート駆動パルスを出力する。前記温度補償部は、印加される初期基準電圧を温度環境に基づいて制御して基準電圧を生成する。前記第１ゲート駆動信号生成部は、前記ゲート駆動パルスと前記基準電圧に応答して、第１ゲート駆動信号を出力する。前記第２ゲート駆動信号生成部は、前記ゲート駆動パルスと接地電圧に応答して第２ゲート駆動信号を出力する。
【００１６】
前記温度補償部は、第１電圧制御部及び第２電圧制御部を含む。前記第１電圧制御部は、入力された定電圧を前記温度環境に基づいて制御して第１電圧を出力する。前記第２電圧制御部は、前記第１電圧に応答して前記初期基準電圧の電位レベルを制御して第２電圧を出力する。
【００１７】
又、前記温度補償部は、前記第２電圧の電位レベルを昇圧して、前記基準電圧を出力する昇圧回路部を更に含む。
【００１８】
又、前記電源変換装置は、前記ゲート駆動パルスに応答してアナログ駆動電圧を出力する駆動電圧生成部を更に含む。
【００１９】
本発明の他の目的を達成するために、本発明の表示装置は、表示パネル、ゲート駆動部、及びパネル駆動部を含む。前記表示パネルは、データラインとゲートラインとが交差する領域毎にスイッチング素子を具備した表示領域と、前記表示領域を取り囲む周辺領域とから構成される。前記ゲート駆動部は、ゲート駆動信号を利用して前記ゲートラインに順次にゲート信号を出力する。前記パネル駆動部は、前記ゲート駆動信号を温度環境に基づいて異なる電位レベルを有するように生成して、前記ゲート駆動部に提供する。
【発明の効果】
【００２０】
本発明の電源変換装置及び表示装置によると、使用温度の変化と関係なく、一定水準の表示装置の駆動能力を保障することができ、階調電圧の変動を防止して、表示装置の表示品質を向上させることができる。
【発明を実施するための最良の形態】
【００２１】
以下、添付図面を参照して本発明の好ましい実施の形態を説明する。
【００２２】
図１は本発明の一実施の形態による表示装置を概略的に示すブロック図であり、図２は本発明の一実施の形態による表示パネルアセンブリを示す図であり、図３は本発明の他の実施の形態の表示パネルアセンブリを示す図である。
【００２３】
図１及び図２を参照すると、本発明の一実施の形態による表示装置は、表示パネル１００及びパネル駆動部２００を含む。
【００２４】
表示パネル１００は、薄膜トランジスタ（以下、ＴＦＴ）アレイが形成されたアレイ基板１１０、アレイ基板１１０と対向して具備される対向基板１２０、及びアレイ基板１１０と対向基板１２０との間に介在される液晶層（図示せず）で構成される。
【００２５】
アレイ基板１１０には、行方向に配列された複数のデータラインＤＬと列方向に配列された複数のゲートラインＧＬが形成される。
【００２６】
本発明の一実施の形態によるアレイ基板１１０は、ｍ個のデータラインとｎ個のゲートラインを有する。ここで、ｍ及びｎは自然数である。従って、データラインＤＬは、一番目データラインである第１データラインＤＬ１から最後データラインである第ｍデータラインＤＬｍで構成され、ゲートラインＧＬは、一番目ゲートラインである第１ゲートラインＧＬ１から最後ゲートラインである第ｎゲートラインＧＬｎで構成される。
【００２７】
又、第１データラインＤＬ１と第１ゲートラインＧＬ１とが交差される領域には、スイッチング素子であるＴＦＴ１１１と画素電極１１２が形成される。ＴＦＴ１１１のゲート電極は第１ゲートラインＧＬ１に連結され、ＴＦＴ１１１のソース電極は第１データラインＤＬ１に連結され、ＴＦＴ１１１のドレイン電極は画素電極１１２に連結される。
【００２８】
同様な方法で、第ｍデータラインと第ｎゲートラインとが交差される領域に至るまで、データラインＤＬとゲートラインＧＬとが交差する領域毎にＴＦＴと画素電極がそれぞれ形成される。
【００２９】
パネル駆動部２００は、タイミング制御部２１０、階調電圧発生部２２０、電源供給部２３０、データ駆動部２４０、及びゲート駆動部２５０を含む。
【００３０】
タイミング制御部２１０は、表示装置の全般的な動作を制御する。タイミング制御部２１０は、グラフィックコントローラ（図示せず）のようなホストシステムからＲ，Ｇ，Ｂの初期データ信号ＤＡＴＡ＿０及び第１制御信号ＣＮＴＬ１が提供されることにより、表示パネル１００に画像を表示するための第１データ信号ＤＡＴＡ１、第２制御信号ＣＮＴＬ２、第３制御信号ＣＮＴＬ３、及び第４制御信号ＣＮＴＬ４を出力する。
【００３１】
具体的に、第１制御信号ＣＮＴＬ１は、メインクロック信号ＭＣＬＫ、水平同期信号ＨＳＹＮＣ、及び垂直同期信号ＶＳＹＮＣを含む。第２制御信号ＣＮＴＬ２は、データ駆動部２４０を制御する水平開始信号ＳＴＨ、反転信号ＲＥＶ、及びデータロード信号ＴＰを含む。第３制御信号ＣＮＴＬ３は、ゲート駆動部２５０を制御する開始信号ＳＴＶ、クロック信号ＣＫ、及び出力イネイブル信号ＯＥ等を含む。第４制御信号ＣＮＴＬ４は、電源供給部２３０を制御するクロック信号ＣＬＫ、及び反転信号ＲＥＶ等を含む。
【００３２】
又、タイミング制御部２１０は、初期データ信号ＤＡＴＡ＿０の出力タイミングが制御されたＲ’，Ｇ’，Ｂ’の第１データ信号ＤＡＴＡ１をデータ駆動部２４０に提供する。
【００３３】
階調電圧発生部２２０は、電源供給部２３０から提供されるアナログ駆動電圧ＡＶＤＤを基準電圧として使用して、ガンマカーブが適用された抵抗比を有する分配抵抗に基づいて、階調レベル数に対応する複数個の基準階調電圧ＶＧＭＡ＿Ｒを分配して出力する。
【００３４】
電源供給部２３０は、表示パネル１００に提供される共通電圧（Ｖｃｏｍ，Ｖｃｓｔ）、ゲートオン／オフ電圧（Ｖｏｎ，Ｖｏｆｆ）、及びアナログ駆動電圧ＡＶＤＤを提供する。このために、電源供給部２３０は電源変換部３００を更に含む。
【００３５】
ここで、電源変換部３００は、特許請求の範囲及び発明の詳細な説明で使用された電源変換装置及び電源変換回路を意味し、以下、電源変換装置という用語を使用して説明する。
【００３６】
電源変換装置については、図４乃至図８を通して詳細に説明する。
【００３７】
データ駆動部２４０は、データＴＣＰ２４１を含む。データＴＣＰ２４１は、データフレキシブル回路フィルム２４１ａ及びデータ駆動チップ２４１ｂを含む。
【００３８】
データフレキシブル回路フィルム２４１ａは、異方性導電フィルム（ＡＣＦ）等を介して表示パネル１００の表示領域ＤＡを取り囲む周辺領域ＳＡのうち、第１領域ＳＡ１に付着される。
【００３９】
ここで、表示領域ＤＡと周辺領域ＳＡは、データラインＤＬとゲートラインＧＬとが交差される領域で、ＴＦＴと画素電極によって画像を表示する領域を表示領域ＤＡと定義し、表示パネル１００で表示領域ＤＡを除いた領域を周辺領域ＳＡと定義する。
【００４０】
データフレキシブル回路フィルム２４１ａには、表示パネル１００を駆動するためのデータ駆動信号及び階調電圧発生部２２０から出力された基準階調電圧ＶＧＭＡ＿Ｒに基づいて、第１データ信号ＤＡＴＡ１が所定の電位レベルを有するように形成されたデータ信号（Ｄ１，…，Ｄｍ）を出力する回路パターンが形成される。
【００４１】
データ駆動チップ２４１ｂは、データフレキシブル回路フィルム２４１ａ上に実装される。
【００４２】
データ駆動チップ２４１ｂは、階調電圧発生部２２０から出力された基準階調電圧ＶＧＭＡ＿Ｒに基づいて階調電圧ＶＧＭＡを生成する。又、デジタル形態の第１データ信号ＤＡＴＡ１を階調電圧ＶＧＭＡに基づいて、アナログ形態のデータ信号（Ｄ１，…，Ｄｍ）に変換して、データ信号（Ｄ１，…，Ｄｍ）の出力タイミングを制御してデータラインＤＬに出力する。
【００４３】
このために、データ駆動チップ２４１ｂは、基準階調電圧ＶＧＭＡ＿Ｒをガンマカーブに対応して分配するガンマストリング（図示せず）と、第１データ信号ＤＡＴＡ１をアナログ形態のデータ信号（Ｄ１，…，Ｄｍ）に変換するデジタル−アナログ変換機（図示せず）を含む。
【００４４】
データＴＣＰ２４１は、ｍ個のデータラインＤＬを複数のブロックに分けて駆動するために複数で構成されることができる。
【００４５】
ゲート駆動部２５０は、ゲートＴＣＰ２５１を含む。ゲートＴＣＰ２５１は、ゲートフレキシブル回路フィルム２５１ａ及びゲート駆動チップ２５１ｂを含む。
【００４６】
ゲートフレキシブル回路フィルム２５１ａは、異方性導電フィルムＡＣＦを介して表示パネル１００の表示領域ＤＡを取り囲む周辺領域ＳＡのうち、第２領域ＳＡ２に付着される。
【００４７】
ゲートフレキシブル回路フィルム２５１ａには、ゲート駆動信号をゲート駆動チップ２５１ｂに提供し、ゲート駆動チップ２５１ｂから出力されるゲート信号（Ｇ１，…，Ｇｎ）を表示パネル１００に提供する回路パターンが形成される。
【００４８】
ゲート駆動チップ２５１ｂは、ゲートフレキシブル回路フィルム２５１ａ上に実装され、ゲート信号（Ｇ１，…，Ｇｎ）の出力タイミングを制御して、回路パターンを通じてゲートラインＧＬに順次に出力する。
【００４９】
ゲートＴＣＰ４２１は、ｎ個のゲートラインＧＬを複数のブロックに分けて駆動するために複数で構成されることができる。
【００５０】
図１及び図３を参照すると、本発明の他の実施の形態による表示パネルアセンブリでは、ゲート駆動部２５０は、表示パネル１００上に集積される。即ち、ゲート駆動部２５０は、表示パネル１００の周辺領域ＳＡのうち、第２領域ＳＡ２に形成される。
【００５１】
図２に図示されたゲート駆動チップ２５１ｂは、ゲートラインＧＬをオン／オフ（Ｏｎ／Ｏｆｆ）させるゲート信号（Ｇ１，…，Ｇｎ）を順次にゲートラインに提供すれば良いので、シフトレジスタ、レベルシフタ、及びバッファ等で構成され、このような構造は、データ駆動チップ２４１ｂに対して相対的に単純な構造を有する。
【００５２】
従って、表示パネル１００のアレイ基板１１０を製造する時、第２領域ＳＡ２に集積して表示パネルアセンブリのサイズ減少及び表示パネル１００の製造工程を単純化することができる。
【００５３】
この場合、第３制御信号ＣＮＴＬ３には、クロック信号ＣＫを含まないことができる。これは、表示パネル１００にゲート駆動部２５０を集積する場合、ゲート駆動部２５０の駆動クロックとしてゲート信号（Ｇ１，…，Ｇｎ）の電位レベルを有するクロック信号ＣＫＶを使用するためである。
【００５４】
一方、本発明による表示装置は、データ印刷回路基板２６０を更に含む。
【００５５】
データ印刷回路基板２６０は、データＴＣＰ２４１を通じてアレイ基板１１０と電気的に連結される。データ印刷回路基板２６０は、タイミング制御部２１０、階調電圧発生部２２０、及び電源供給部２３０を含むことができ、これを通じてデータ駆動部２４０とゲート駆動部２５０を駆動するためのデータ駆動信号とゲート駆動信号とを発生させて出力する。
【００５６】
この場合、複数のデータＴＣＰ２４１のうち、少なくとも一つのデータＴＣＰには、データ印刷回路基板２６０から提供されるゲート駆動信号をアレイ基板１１０に伝送するための金属配線２４１ｃが形成される。又、アレイ基板１１０には、データ印刷回路基板２６０から提供されるゲート駆動信号をゲート駆動部２５０に印加するための金属配線１１３が形成される。
【００５７】
本発明の一実施の形態による表示装置では、ゲート駆動信号をデータ印刷回路基板２６０で発生させて、金属配線２４１ｃ，１１３を通じてゲート駆動部２５０に提供すると説明したが、図２に示すように、ゲートＴＣＰ２５１を形成する構造を有する場合、表示装置はゲート駆動信号を発生させて出力するゲート印刷回路基板（図示せず）を含んで形成することもできる。この場合、ゲート印刷回路基板は、ゲートＴＣＰ２５１の一側に付着される。
【００５８】
図４は本発明の一実施の形態による電源変換装置を示すブロック図で、図５は本発明の一実施の形態による電源変換装置を示す回路図である。
【００５９】
図４及び図５を参照すると、本発明の一実施の形態による電源変換装置３００は、変換モジュール部３１０、駆動電圧生成部３２０、フィードバック部３３０、温度補償部３４０、第１ゲート駆動信号生成部３５０、及び第２ゲート駆動信号生成部３６０を含む。
【００６０】
変換モジュール部３１０は入力される外部電圧ＰＶＤＤによって駆動され、単一チップで構成された変換モジュール３１１を含む。変換モジュール部３１０は、変換モジュール３１１の内部に形成されたスイッチング素子のスイッチング動作によってインダクタＬで誘発される誘導起電力を利用して、所定振幅を有するゲート駆動パルスＰＧＤを出力する。
【００６１】
スイッチング素子としては、一例として、ＮＭＯＳトランジスタが使用されることができる。
【００６２】
駆動電圧生成部３２０は、ダイオードｄ１を通じてゲート駆動パルスＰＧＤを整流することにより、アナログ駆動電圧ＡＶＤＤを生成して出力する。
【００６３】
フィードバック部３３０は直列連結された抵抗素子ｒ１，ｒ２を含み、抵抗素子ｒ１，ｒ２によってアナログ駆動電圧ＡＶＤＤの電位レベルを分配してフィードバック信号Ｖｆｂを生成して、これを変換モジュール３１１に提供する。
【００６４】
変換モジュール３１１は、フィードバック信号Ｖｆｂと変換モジュール３１１の内部に予め設定された基準信号Ｖｒｅｆを比較して、フィードバック信号Ｖｆｂの電位レベルが基準信号Ｖｒｅｆに対して低い場合、内部的に基準信号Ｖｒｅｆを維持するために、ゲート駆動パルスＰＧＤの振幅を増加させる。
【００６５】
又、フィードバック信号Ｖｆｂの電位レベルが基準信号Ｖｒｅｆに対して高い場合、内部的に基準信号Ｖｒｅｆを維持するために、ゲート駆動パルスＰＧＤの振幅を減少させる。
【００６６】
即ち、フィードバック部３３０から出力されるフィードバック信号Ｖｆｂによってゲート駆動パルスＰＧＤの振幅は一定に維持され、これによって駆動電圧生成部３２０によって出力されるアナログ駆動電圧ＡＶＤＤの電位レベルは一定に維持される。
【００６７】
温度補償部３４０は、低温の使用環境で図２に図示された表示パネル１００のゲートラインＧＬと連結されたＴＦＴの駆動能力が低下することを補償するために用いられる。本実施の形態の温度補償部３４０は、一例として、直列連結される複数個のダイオードを含む。
【００６８】
図８は、使用温度によるダイオードの特性を示すグラフである。
【００６９】
図８を参照すると、ダイオードに流れる電流（ＩＦ）が０．１ｍＡと仮定する場合、それぞれのダイオードは、温度別に、例えば、約８５℃では約０．４Ｖの電圧降下が発生し、約−３０℃では約０．６Ｖの電圧降下が発生する。
【００７０】
図４及び図５を更に参照すると、温度補償部３４０は、初期基準電圧ＶＳＤ＿０を温度環境によって制御して基準電圧ＶＳＤを生成する。このために、温度補償部３４０は、第１電圧制御部３４１及び第２電圧制御部３４２を含む。本実施の形態において、第１電圧制御部３４１は、入力された定電圧を温度環境に基づいて制御して第１電圧Ｖ１を出力し、第２電圧制御部３４２は、第１電圧に応答して初期基準電圧ＶＳＤ＿０の電位レベルを制御して第２電圧Ｖ２を出力する。
【００７１】
第１電圧制御部３４１は、一例として、印加される定電圧Ｖｓと連結される複数個のダイオード（ｄ２，ｄ３，ｄ４）を含む。ダイオード（ｄ２，ｄ３，ｄ４）は、図８に示すような使用温度によるダイオード自体の特性によって定電圧Ｖｓの電位レベルを減圧して生成された第１電圧Ｖ１を第２電圧制御部３４２に提供する。
【００７２】
第２電圧制御部３４２は、一例として、第１電圧制御部３４１と連結されたトランジスタＴｒを含む。トランジスタＴｒの第１電極であるベース電極Ｂは第１電圧制御部３４１と連結され、第２電極であるコレクタ（Ｃ）電極には初期基準電圧ＶＳＤ＿０が提供され、第３電極であるエミッター（Ｅ）電極は接地電極ＧＮＤと連結される。
【００７３】
この際、定電圧Ｖｓは、ダイオード（ｄ２，ｄ３，ｄ４）によって減圧され、ベース電極Ｂに提供される時、定電圧Ｖｓの電圧降下程度を考慮して、トランジスタＴｒをターンオンさせることができる程度の電位レベルを有するように形成すれば良い。
【００７４】
ここで、初期基準電圧ＶＳＤ＿０としては、アナログ駆動電圧ＡＶＤＤが使用される。
【００７５】
第１電圧制御部３４１は、電源変換装置３００の使用温度によって、ダイオード（ｄ２，ｄ３，ｄ４）を使用して定電圧Ｖｓの電位レベルを減圧することにより、ベース電極Ｂに提供される電圧レベルを制御する。これによって、第２電圧制御部３４２に流れるコレクタ電流（ｉｃ）は、ベース電極Ｂに印加される電圧レベルによって制御される。
【００７６】
即ち、トランジスタＴｒの特性上、ベース電極Ｂに印加される電圧レベルに比例して、コレクタ電流（ｉｃ）の大きさが増加又は減少することになる。
【００７７】
コレクタ電流（ｉｃ）の大きさが小さい場合、即ち、電源変換装置３００の使用温度が低くて、第１電圧制御部３４１によって定電圧Ｖｓの減圧幅が大きい場合、コレクタ端子Ｃと連結され、アナログ駆動電圧ＡＶＤＤが提供される抵抗ｒ３の両端に印加される電圧は、オームの法則によって相対的に小さくなり、コレクタ電圧Ｖｃは相対的に増加することになる。
【００７８】
これと逆に、コレクタ電流（ｉｃ）の大きさが大きい場合、即ち、電源変換装置３００の使用温度が高くて、第１電圧制御部３４１によって定電圧Ｖｓの減圧幅が小さい場合、コレクタ端子Ｃと連結され、アナログ駆動電圧ＡＶＤＤが提供される抵抗ｒ３の両端にかかる電圧は、オーム法則によって相対的に大きくなり、コレクタ電圧Ｖｃは相対的に減少することになる。
【００７９】
温度補償部３４０は、昇圧回路部３４３を更に含む。
【００８０】
昇圧回路部３４３は、第２電圧制御部３４２と連結される。より詳細には、昇圧回路部３４３は、トランジスタＴｒのコレクタ端子Ｃと連結される。
【００８１】
昇圧回路部３４３は、コレクタ端子Ｃの出力インピーダンスが大きいので、温度補償部３４０と連結された第１ゲート駆動信号生成部３５０が正常動作するために、インピーダンスマッチングを行い、第２電圧Ｖ２を増幅して基準信号ＶＳＤを生成してこれを出力する。昇圧回路部３４３は、一例として、演算増幅器（ＯＰ−ＡＭＰ）で形成され、これ以外にもバッファ等多様な形態に形成することができるのは自明である。
【００８２】
第１ゲート駆動信号生成部３５０は、温度補償部３４０から出力される基準電圧ＶＳＤに基づいて、変換モジュール部３１０から出力されるゲート駆動パルスＰＧＤを利用して、複数個のダイオード（ｄ５，…，ｄ８）と複数個のキャパシタ（ｃ１，…，ｃ４）を通じてチャージポンピングして、第１ゲート駆動信号Ｖｏｎを生成する。なお、上述したとおり、本実施の形態では、常温よりも高い温度環境では第１ゲート駆動信号Ｖｏｎの電位レベルが減少され、常温よりも低い温度環境では第１ゲート駆動信号Ｖｏｎの電位レベルが増加される。
【００８３】
第２ゲート駆動信号生成部３６０は、接地電圧ＧＮＤの電位に基づいて変換モジュール部３１０から提供されるゲート駆動パルスＰＧＤを利用して、複数個のダイオード（ｄ９，…，ｄ１２）と複数個のキャパシタ（ｃ５，…，ｃ８）を通じてチャージポンピングして、第２ゲート駆動信号Ｖｏｆｆを生成する。変換モジュール部３１０と第２ゲート駆動信号生成部３６０との間に配置されるダイオードｄ１４，ｄ１５と抵抗ｒ９は、ゲート駆動パルスＰＧＤの振幅を微調整して、第２ゲート駆動信号生成部３６０に提供するために形成する。
【００８４】
以上のように生成される第１ゲート駆動信号Ｖｏｎおよび第２ゲート駆動信号Ｖｏｆｆに基づいて、上述したデータラインとゲートラインＧＬ１とが交差される領域に形成されるＴＦＴがオン／オフされる。
【００８５】
図６は本発明の他の実施の形態による電源変換装置を示す回路図で、図７は図６に図示された温度補償部に提供される基準信号とゲート駆動信号との関係を説明するための図である。
【００８６】
図６及び図７を参照すると、本発明の他の実施の形態による電源変換装置３００は、変換モジュール部３１０’、駆動電圧生成部３２０、フィードバック部３３０、温度補償部３４０、第１ゲート駆動信号生成部３５０、及び第２ゲート駆動信号生成部３６０を含む。ここで、図５と同じ構成要素には同じ図面番号を付与する。
【００８７】
変換モジュール部３１０’は入力される外部電圧ＰＶＤＤによって駆動され、単一チップで構成された変換モジュール３１１の内部に形成されたトランジスタＴｒのようなスイッチング素子のスイッチング動作によって所定振幅を有するゲート駆動パルスＰＧＤを出力する。
【００８８】
変換モジュール部３１０’は、変圧回路部３１２を更に含む。
【００８９】
変圧回路部３１２は、１次巻線が変換モジュール部３１０’と連結され、２次巻線が温度補償部３４０と連結された変圧器で形成されることができる。
【００９０】
１次巻線は、変換モジュール部３１０’と連結され変換モジュール３１１の内部に形成されたスイッチング素子のスイッチング動作によって発生する誘導起電力を利用して、所定振幅を有するゲート駆動パルスＰＧＤを出力する。
【００９１】
又、１次巻線と２次巻線の巻線数比によって、２次巻線には１次巻線から誘導される出力電圧ＶＴが形成され、これはダイオードｄ１３を通じて整流され、温度補償部３４０の初期基準電圧ＶＳＤ＿０として提供される。
【００９２】
駆動電圧生成部３２０は、ダイオードｄ１を通じてゲート駆動パルスＰＧＤを整流することで、アナログ駆動電圧ＡＶＤＤを出力する。
【００９３】
フィードバック部３３０は、直列連結された抵抗素子ｒ１，ｒ２を含み、抵抗素子ｒ１，ｒ２によってアナログ駆動電圧ＡＶＤＤの電位レベルを分配してフィードバック信号Ｖｆｂを生成し、これを変換モジュール３１１に提供する。
【００９４】
フィードバック部３３０は、図４に図示されたフィードバック部３３０と同様に形成されるので、その重複説明は省略する。
【００９５】
温度補償部３４０は、初期基準電圧ＶＳＤ＿０を温度環境によって制御して基準電圧ＶＳＤを生成する。このために、温度補償部３４０は、第１電圧制御部３４１及び第２電圧制御部３４２を含む。
【００９６】
第１電圧制御部３４１は、一例として、印加される定電圧Ｖｓと連結される複数個のダイオード（ｄ２，ｄ３，ｄ４）を含む。本実施の形態では、複数個のダイオード（ｄ２，ｄ３，ｄ４）は直列に連結される。ダイオード（ｄ２，ｄ３，ｄ４）は、図８に示すような使用温度によるダイオード自体の特性によって定電圧Ｖｓの電位レベルを減圧して、第１電圧Ｖ１を第２電圧制御部３４２に提供する。
【００９７】
第２電圧制御部３４２は、一例として、第１電圧制御部３４２と連結されたトランジスタＴｒを含む。トランジスタＴｒの第１電極であるベース電極Ｂは第１電圧制御部３４２と連結され、第２電極であるコレクタ（Ｃ）電極には初期基準電圧ＶＳＤ＿０が提供され、第３電極であるエミッター（Ｅ）電極は接地電極ＧＮＤと連結される。ここで、初期基準電圧ＶＳＤ＿０としては、変圧回路部３１２から出力される出力電圧ＶＴが使用される。
【００９８】
本発明の他の実施の形態では、初期基準電圧ＶＳＤ＿０を提供するために、電源変換装置３００の内部に変圧器等の変圧回路部３１２を構成し、変圧回路部３１２から出力される出力電圧ＶＴを初期基準電圧ＶＳＤ＿０として使用したが、これに限定されず、外部（外部装置）から提供される定電圧等を初期基準電圧ＶＳＤ＿０として使用することができる。
【００９９】
又、初期基準電圧ＶＳＤ＿０としては、チャージポンプ回路（不図示）を追加的に第１ゲート駆動信号生成部３５０に直列に連結して、第１ゲート駆動信号Ｖｏｎの電位レベルを増加させ、これをフィードバックして使用することもできる。これ以外にも、初期基準電圧ＶＳＤ＿０の提供方法は、多様に形成することができるのは当業者に自明である。
【０１００】
この際、初期基準電圧ＶＳＤ＿０の電位レベルは、アナログ駆動電圧ＡＶＤＤの電位レベルより大きければ良い。
【０１０１】
本実施の形態では、基準電圧ＶＳＤの最大変動幅のマージンを確保するために、初期基準電圧ＶＳＤ＿０をアナログ駆動電圧ＡＶＤＤの電位レベルより大きく形成することにより、基準電圧ＶＳの最大変動幅を初期基準電圧ＶＳＤ＿０と接地電圧ＧＮＤとの間で形成することができる。
【０１０２】
これによって、基準電圧を利用してゲートラインを活性化させる第１ゲート駆動信号Ｖｏｎの電位レベルは、図７に示すように、基準電圧ＶＳＤに比例して、第１ゲート駆動信号Ｖｏｎが増減するので、温度変化の極限状況で電源変換装置３００から出力される第１ゲート駆動信号Ｖｏｎを増加させて、図１に図示された表示パネルに提供することにより、表示装置の駆動能力が向上される。
【０１０３】
温度補償部３４０は、初期基準電圧ＶＳ＿０がアナログ駆動電圧ＡＶＤＤより大きい値で提供される点を除いては、図４に図示された温度補償部３４０と同様に形成される。又、第１及び第２ゲート駆動信号生成部３５０，３６０は、図４に図示された第１及び第２ゲート駆動信号生成部３５０，３６０と同様に形成されるので、その重複説明は省略する。
【０１０４】
即ち、本発明の実施の形態による電源変換装置は、使用温度に関係なく、一定の電位レベルに出力されるアナログ駆動電圧を表示パネルに提供して、表示装置の表示品質が低下することを防止し、使用温度によって表示パネルに形成されたＴＦＴの駆動能力が変化されることをゲート駆動信号の電位レベルを増加させ出力してこれを補償することで、温度変化によってＴＦＴの駆動能力が一定水準に保障される。
【０１０５】
なお、本実施の形態では、第１電圧制御部には温度依存性を有する電気素子としてダイオードが用いられた。しかしながら、本発明の電気素子はダイオードに限定されず、温度環境によってターンオン電圧が変動する電気素子が用いられることができる。
【０１０６】
以上のとおり、前述した本発明によると、表示パネルに提供されるアナログ駆動電圧を使用温度変化に関係なく、一定水準に維持することにより、階調電圧の変動を防止して、表示装置の表示品質が低下することを防止することができる。
【０１０７】
又、階調電圧の変動を防止して、データ駆動チップの出力電圧の上昇を防止することにより、出力パッド部のストレスが減少され、これによって出力パッド部のライン接触不良を防止することができる。これによって、表示装置の製品の歩留まりを向上させることができる。
【０１０８】
又、階調電圧の変動を防止して、消費電力を減少させることができる。
【０１０９】
又、アナログ駆動電圧とゲート駆動信号を互いに独立的に出力することにより、低温駆動環境でゲート駆動信号の電圧上昇幅を任意的に形成することができる。これによって、極限使用環境下でも表示装置の駆動能力を保障することができる。
【０１１０】
以上、本発明の実施の形態によって詳細に説明したが、本発明はこれに限定されず、本発明が属する技術分野において通常の知識を有するものであれば本発明の思想と精神を離れることなく、本発明を修正または変更できる。
【図面の簡単な説明】
【０１１１】
【図１】本発明の一実施の形態による表示装置を概略的に示すブロック図である。
【図２】本発明の一実施の形態による表示パネルアセンブリを示す図である。
【図３】本発明の他の実施の形態による表示パネルアセンブリを示す図である。
【図４】本発明の一実施の形態による電源変換装置を示すブロック図である。
【図５】本発明の一実施の形態による電源変換装置を示す回路図である。
【図６】本発明の他の実施の形態による電源変換装置を示す回路図である。
【図７】図６に図示された温度補償部に提供される基準信号とゲート駆動信号の関係を説明するための図である。
【図８】使用温度によるダイオードの特性を示すグラフである。
【符号の説明】
【０１１２】
１００    表示パネル、
２００    パネル駆動部、
２１０    タイミング制御部、
２２０    階調電圧発生部、
２３０    電源供給部、
２４０    データ駆動部、
２５０    ゲート駆動部、
３００    電源変換部、
３１０，３１０’    変換モジュール部、
３１１    変換モジュール、
３１２    変圧回路部、
３２０    駆動電圧生成部、
３３０    フィードバック部、
３４０    温度補償部、
３５０    第１ゲート駆動信号生成部、
３６０    第２ゲート駆動信号生成部。
【図１】
2007047790.tif 000003
【図２】
2007047790.tif 000004
【図３】
2007047790.tif 000005
【図４】
2007047790.tif 000006
【図５】
2007047790.tif 000007
【図６】
2007047790.tif 000008
【図７】
2007047790.tif 000009
【図８】
2007047790.tif 000010